(57)【要約】      （修正有）【課題】比較的軽く、繰り返しダーツを的に当ててもダーツの刺し穴が見えないダーツの的を提供する。【解決手段】発泡樹脂で形成された所定形状の基材１１の投擲面１２に織布又は不織布からなる布シートを固着したダーツの的１０であって、布シートの表面には短繊維２４が植毛されている場合や、基材１１を投擲面１２側が露出するようにして、掛止部２６が設けられたハードケース２３に収納する場合がある。【選択図】図２
2017009200.tif 000002
【特許請求の範囲】
【請求項１】
発泡樹脂で形成された所定形状の基材の投擲面に織布又は不織布からなる布シートを固着したことを特徴とするダーツの的。
【請求項２】
請求項１記載のダーツの的において、前記布シートの表面には短繊維が植毛されていることを特徴とするダーツの的。
【請求項３】
発泡樹脂で形成された所定形状の基材の投擲面に、表面に短繊維が植毛された合成樹脂シート又はゴムシートを固着したことを特徴とするダーツの的。
【請求項４】
請求項１〜３のいずれか１項に記載のダーツの的において、前記基材は前記投擲面側を露出するようにして、掛止部が設けられたハードケースに収納されていることを特徴とするダーツの的。
【発明の詳細な説明】
【技術分野】
【０００１】
本発明は、先端に鋭利な針状物が設けられたダーツ（矢）を的に投擲して、的の投擲位置から得点を競う、ダーツ競技に使用される投擲用のダーツの的に関する。
【背景技術】
【０００２】
例えば、ダーツ競技は、ダーツを壁などに取付けた的に向けて投擲し、命中の度合いに応じて決められた得点を競う競技である。このため、的は繰り返し投擲されるダーツが刺さるように構成する必要がある。
図３（Ａ）、（Ｂ）に示すように、従来のダーツの的４０は、基材４１が発泡樹脂や柔らかい紙粘土等で構成され、その表面（平滑面）に的としての同心円と複数の放射線からなる表示模様４２が形成されている。そして、一般にダーツ４３が投擲される的４０は、投擲したダーツ４３を抜いて又はそのままで、更に新たなダーツ４３を投擲することを繰り返すので、的４０の表面にダーツ４３の先部４４が突き刺さった穴跡４５が残る。
【０００３】
的４０を繰り返し使用する場合には、的４０に穴跡４３ができる限り残らないようにすることが必要である。そこで、従来のダーツの的として、１）多数の小孔（枡目）が並べて形成されたもの（例えば、特許文献１参照）、２）サイザルアサを板状に圧縮して形成されたもの（特許文献２参照）、更にその上に植毛したものが使われている。
また、特許文献３には、３）四角形のバックボードの表側に、発泡ポリプロピレン等の軽量合成樹脂材で形成され、表面は着色されたた円形ボードが設けられ、その周囲を外枠リングで固定されたものが提案されている。
【先行技術文献】
【特許文献】
【０００４】
【特許文献１】特開２０１１−２５２６５１号公報
【特許文献２】特開２０１０−２２０９９６号公報
【特許文献３】実用新案登録第３１９６５２９号公報
【発明の概要】
【発明が解決しようとする課題】
【０００５】
しかしながら、１）に記載のダーツの的はダーツが刺さる毎に小孔が一部変形し、繰り返し使用すると、徐々に外観が悪くなるとという問題があった。
また、２）に記載のダーツの的は寿命は長いが、重量が例えば４．６ｋｇ程度もあり、搬送や取り扱いが不便であり、壁にも容易に掛けられないという問題があった。
更に、３）に記載のダーツの的は主要部が発泡ポリプロピレンで製作されて軽量であって、構造も簡単ではあるが、ダーツの刺し穴が残り、表面が不規則な形状となり、見栄えを損なうという問題があって、比較的寿命が短い。
【０００６】
本発明はかかる事情に鑑みてなされたもので、比較的軽く、繰り返しダーツを的に当ててもダーツの刺し穴が見えないダーツの的を提供することを目的とする。
【課題を解決するための手段】
【０００７】
前記目的に沿う第１の発明に係るダーツの的は、発泡樹脂で形成された所定形状の基材の投擲面に織布又は不織布からなる布シートを固着している。この場合、布シート自体に表示模様（例えば、半径の異なる複数の同心円、均等角度で形成された複数の放射線、及び着色を有している）が形成されているのが好ましい。なお、発泡樹脂としては、多少弾力性を有する硬質発泡樹脂を使用するのが好ましいが、ダーツが刺さった時にその姿勢を維持できる硬さであれば、中質又は軟質の発泡樹脂を使用することもできる。
【０００８】
また、第１の発明に係るダーツの的において、前記布シートの表面には短繊維が植毛されている場合もある。短繊維は、合成樹脂及び天然素材のいずれでもよい。
【０００９】
更に、前記目的に沿う第２の発明に係るダーツの的は、発泡樹脂で形成された所定形状の基材の投擲面に、表面に短繊維が植毛された合成樹脂シート又はゴムシートを固着している。
【００１０】
そして、第１、第２の発明に係るダーツの的において、前記基材は前記投擲面側を露出するようにして、掛止部が設けられたハードケースに収納されているのが好ましい。
【発明の効果】
【００１１】
第１の発明に係るダーツの的は、投擲して的に刺さったダーツを抜いても、表面の布シートが自己の弾性により穴を小さくするか閉じるので、的表面をきれいな面に保つことができる。なお、基材も弾性を有する材料を使用することによって、基材に形成された穴も縮小できる。
また、第２の発明に係るダーツの的は、発泡樹脂で形成された所定形状の基材の投擲面に、表面に短繊維が植毛された合成樹脂シート又はゴムシートを固着しているので、ダーツを抜いても、表面の短繊維によって穴を閉じるので、的表面をきれいな面に保つことができる。
【図面の簡単な説明】
【００１２】
【図１】（Ａ）は本発明の第１の実施の形態に係るダーツの的の側断面図、（Ｂ）は同正面図である。
【図２】（Ａ）は本発明の第２の実施の形態に係るダーツの的の側断面図、（Ｂ）は同正面図である。
【図３】（Ａ）は従来例に係るダーツの的の側断面図、（Ｂ）は同正面図である。
【発明を実施するための形態】
【００１３】
続いて、添付した図面を参照しながら、本発明を具体化した実施の形態について説明する。
図１（Ａ）、（Ｂ）に示すように、本発明の第１の実施の形態に係るダーツの的１０は、所定形状（例えば、円板状、場合によっては角板状）の基材１１と、この基材１１の投擲面１２に貼り合わされた布シート１３とを有している。基材１１は、硬質又は半硬質の発泡樹脂、例えば、発泡ウレタン系樹脂、発泡ポリエチレン系樹脂、発泡スチレン系樹脂、発泡ポリオレフィン系樹脂等からなって、ダーツ１５が刺さっても、刺さったダーツ１５の先部１６を保持できる強度を有するものであればよい。また、発泡樹脂自体が弾力性を有し、ダーツ１５の先部１６によって開いた穴１７が、その弾性力により縮小又は閉塞できるものであるのが好ましいが、必須の要件ではない。基材１１の厚みは２０〜３０ｍｍ程度でよいが、更に薄くする場合でも厚くする場合でも本発明は適用される。
【００１４】
布シート１３は、例えば、比較的大きな弾力性及び復元性を有する天然繊維又は合成樹脂繊維を用いた織布又は不織布を使用している。布シート１３の厚みは、例えば０．２〜１．６ｍｍ程度のものを使用するのが好ましいが、本発明はこの数値には限定されない。布シート１３は基材１１の投擲面１２に接着又は機械的に鋲等によって固着される。
【００１５】
布シート１３の表面には、的としての表示模様（例えば、半径の異なる複数の同心円、均等角度で形成された複数の放射線、及び着色）１８が形成されている。表示模様は、単に布シートの表面に顔料又は塗料を塗布又は印刷するのみで形成してもよいが、塗布又は印刷のみでは使用によって顔料又は塗料が剥げ落ちる場合があるので、布シート１３自体に表示模様１８を染色するのがよい。また、布シート１３を構成する糸自身を着色してもよい。
以上のように構成されたダーツの的１０では、投擲したダーツ１５を抜いた場合には、布シート１３に開けられた穴１７が繊維の復元力で小さくなり、痕が目立たなくなる。特に、布シート１３に弾力性を有する合成繊維からなる不織布を使用する場合は、布シート１３に形成された穴１７が塞がり易く、外観を損なわないので、このダーツの的１０を長期間使用できる。
【００１６】
基材１１を硬質発泡樹脂から形成した場合は、周囲の枠や補強ケースを省略し、例えば、裏面に１又は複数の掛止穴１９を設けて、壁掛けとすることもできるし、基材１１に紐状物を固定して、壁掛けとすることもできる。
また、基材１１をハードケースに収納することもできる。この場合は、基材１１が多少柔軟性を有していても（即ち、半硬質の発泡樹脂又は多少軟質の発泡樹脂からなる）、その形状を保持できる。
【００１７】
続いて、図２（Ａ）、（Ｂ）を参照しながら、本発明の第２の実施の形態に係るダーツの的２１について説明する。なお、前記実施の形態に係るダーツの的１０と同一の構成要素には同一の番号を付して説明を省略する。
第２の実施の形態に係るダーツの的２１は、基材１１と、その投擲面１２の表面に設けられたシート２２と、基材１１の外側周囲を覆うハードケース２３とを有し、シート２２の表面には短繊維２４が植毛されている。シート２２は前述のように、織布又は不織布等の布シートであってもよいが、ウレタン等の弾性を有する合成樹脂シート又はゴムシートであってもよく、厚みが０．２〜２ｍｍ程度が適当である。このシート２２は基材１１の投擲面１２に接着又は鋲等で機械的に接合（固着）されている。
【００１８】
シート２２の上に植毛されている短繊維２４は、例えば、直径が０．０２ｍｍ〜０．５ｍｍ程度で、長さが０．３〜１．５ｍｍ程度である。短繊維２４には合成樹脂繊維を使用するのが好ましいが、着色できるものであれば、天然繊維であってもよい。なお、的となる表示模様２５は、シート２２のみでなく、短繊維２４にも着色するのが好ましい。短繊維２４を、例えばピッチｐが短繊維２４の直径の１．２〜２倍の範囲となるように、多数設けて短繊維群２４ａとすることができる。
【００１９】
ハードケース２３はプラスチック又は金属、場合によって木材からなって、表面側（投擲面１２側）が開放となって、基材１１の投擲面１２側が露出した状態で、基材１１を収納する。ハードケース２３の頂部には壁等にこのダーツの的２１を取付ける掛止部２６が設けられている。このハードケース２３に設ける掛止部２６の形状は自由である。この掛止部２６を介してこのダーツの的２１を壁等の任意の位置に固定できる。
また、ハードケース２３は内部に収納されている基材１１の保護を行い、基材１１が比較的柔らかい弾性体（例えば、発泡ウレタン系の樹脂）であってもその形状を保持できる。
【００２０】
このダーツの的２１を使用する場合は、掛止部２６を使って、ダーツの的２１を壁等に垂直に設置する。遊戯者がダーツ１５を的２１に向けて投擲すると、ダーツ１５の先部１６が短繊維群２４ａ、シート２２を貫通して基材１１に刺さり、この状態で保持される。
ダーツ１５を抜くと、基材１１に細い穴１７ａが残り、更にシート２２及び短繊維群２４ａにも小穴１７ｂ、１７ｃが残るが、シート２２もシート２２が有する弾性によって小穴１７ｂが塞がり、小穴１７ｃは短繊維群２４ａによって隠されて表側からは穴１７ａ、小穴１７ｂ、１７ｃは見えない。
【００２１】
本発明は前記した実施の形態に限定されるものではなく、本発明の要旨を変更しない範囲でその構成を変更することもできる。例えば、第１の実施の形態に係るダーツの的と第２の実施の形態に係るダーツの的の一部の構成要素を入れ換えることもできる。
また、以上のダーツの的の背部に補強板材を配置することもできる。
【符号の説明】
【００２２】
１０：ダーツの的、１１：基材、１２：投擲面、１３：布シート、１５：ダーツ、１６：先部、１７、１７ａ：穴、１７ｂ、１７ｃ：小穴、１８：表示模様、１９：掛止穴、２１：ダーツの的、２２：シート、２３：ハードケース、２４：短繊維、２４ａ：短繊維群、２５：表示模様、２６：掛止部
【図１】
2017009200.tif 000003
【図２】
2017009200.tif 000004
【図３】
2017009200.tif 000005